(57)【要約】      （修正有）【課題】激しい運動によってもベロがずれ難く、ベロを正常な位置に保つことができるスニーカーを提供する。【解決手段】スニーカー１の羽根２，３とベロ４がずれてこないように、固定具を用いて固定する。ただし、スニーカーの履き脱ぎに支障があってはならず、容易に着脱可能な固定用具を取り付ける。着脱用固定具は例えば羽根とベロ両方に取り付けられた面ファスナー５，６である。【選択図】図１
0003172572.tif 000002
【実用新案登録請求の範囲】
【請求項１】
羽根とベロとに着脱用固定具を取り付けたことを特徴とするスニーカー
【請求項２】
前記着脱用固定具が面ファスナーであることを特徴とする請求項１記載のスニーカー
【請求項３】
前記面ファスナーが、内側の羽根の上部と、ベロのそれに対応する位置に取り付けられていることを特徴とする請求項１記載のスニーカー
【考案の詳細な説明】
【技術分野】
【０００１】
この考案は、フィットネス、バスケット、テニス、ウオーキング等の運動シューズ（以下、スニーカーと呼ぶ）の形状に関する。
【背景技術】
【０００２】
スニーカーの形状は、図２に示すように、外側羽根と内側羽根の中央にベロが位置している。
【先行技術文献】
【非特許文献】
【０００３】
【非特許文献１】ベロが左右にずれる問題に関しては、これを解決する手段としての特許情報が見当たらない。しかし、インターネット上では頻繁に質問が寄せられている。その回答として一つの解決方法はベロにスリットを開け、そこに靴紐を通して固定する方法であるが、これはベロに取り付けたループと基本的には変わらず左右方向のずれを完全に抑えることは出来ない。
【非特許文献２】またベロがずれないと触込みのスニーカー（アシックス社品番TQA222)はスプリットタンと呼称して左右の羽根にそれぞれベロが固定されており、ベロが２枚重なった状態で使用する。ずれは２枚のベロの間で発生するので、確かに斜めに大きくずれることはないが、２枚重ねて使用するので甲部の厚みが増し、足のサイズによってベロの位置が変わるので真ん中にロゴマーク等を配する事が出来ない。
【考案の概要】
【考案が解決しようとする課題】
【０００４】
スニーカーを着用して活発な動きをすると、それに伴いベロがずれてくる問題がある。図３にその状態を示す。これは脛の骨が外側にかすかに湾曲している事に起因しているのではないかと推測されるが、大抵の場合は図３のように足首の外側にずれてくる。その結果、足の甲や足首への当たりがきつくなったり、外観上も悪くなる。
【０００５】
スニーカーはファッション性のある履物であり、ベロの前面中央部分にはメーカーのロゴマーク等が描かれている事が多いが、図３のように斜めになったり、大きく隠れてしまう為、その見た目の悪さは問題である。
【０００６】
現状のスニーカーのベロの中央部分には、ベロの上下方向への移動を防ぐためのループ７が設置してあるが、上下方法にはともかく左右方向へのずれを防止する効果はない。
【課題を解決するための手段】
【０００７】
以上の課題を解決するために、第一考案は、羽根とベロとに着脱用固定具を取り付けたことを特徴とするスニーカーである。
また、第二考案は、前記着脱用固定具が面ファスナー（通称マジックテープ（登録商標）と呼ばれる）であることを特徴とするスニーカーである。
また、第三考案は、前期面ファスナーが、内側羽根の上部と、ベロのそれに対応する位置に取り付けられていることを特徴とするスニーカーである。
【考案の効果】
【０００８】
第一考案、または第二考案、または第三考案によれば、激しい運動によってもベロがずれ難く、ベロを正常な位置に保つことができる。
【図面の簡単な説明】
【０００９】
【図１】この考案の実施形態を示す右足用スニーカーの斜視図である。なお、図が煩雑となるので靴紐は省略してある。
【図２】右足用スニーカーの一般的な外観を示す斜視図である。
【図３】従来の課題を示す右足用スニーカーの斜視図である。
【考案を実施するための形態】
【００１０】
この考案の一実施形態を図１に示す。
スニーカー本体１には内側羽根２と外側羽根３との中央にベロ４が設置されている。この内側羽根２の内側上部に面ファスナー５が固定されており、ベロ４のそれに対応する位置にも面ファスナー６が固定されている。
【００１１】
この実施形態によれば、羽根２とベロ４が着脱出来るので容易にスニーカーを履いたり脱いだりできるだけでなく、スニーカーを履いているときは羽根２とベロ４が固定されるので、運動中もベロ４がずれることがない。
【００１２】
羽根に面ファスナー５を取り付ける位置は、内側羽根２と外側羽根３の両方に取り付けても良いが、両方の羽根が固定されてしまうと靴紐を締める際の羽根の動きを制限する可能性があり、またベロ４がずれてくるのは足の外側にずれてくるのが殆どであるので内側羽根２に取り付けるだけで充分な効果を発揮する。さらに、縦方向の全面に亘って取り付ける必要はなく、上部に取り付けるだけで良い。取り付け位置としては靴紐穴の一番上から一つ下、または二つ下辺りが適当であり、靴紐を通すのに邪魔にならないように靴紐穴と靴紐穴の間に設置するか、面ファスナー５の面積が大きいときは面ファスナーの中に靴紐穴を開けても良い。
【００１３】
またベロ４がずれる力は大きくないので、大面積の面ファスナーは必須ではなく、約１ｃｍ角でも充分な効果を発揮する。もちろんそれより大きい面積の面ファスナーを使用しても問題ない。また内側羽根２とベロ４に取り付ける面ファスナー５，６は同面積である必要はなく、片方の面ファスナーを大きめにすれば、固定する位置を好みの位置に調整する事が可能であり便利である。
【符号の説明】
【００１４】
１  スニーカー本体
２  内側羽根
３  外側羽根
４  ベロ
５  羽根用面ファスナー
６  舌革用面ファスナー
７  ループ
8  ロゴマーク等
【図１】
0003172572.tif 000003
【図２】
0003172572.tif 000004
【図３】
0003172572.tif 000005
【手続補正書】
【提出日】平成23年8月15日(2011.8.15)
【手続補正１】
【補正対象書類名】明細書
【補正対象項目名】０００２
【補正方法】変更
【補正の内容】
【０００２】スニーカーの形状は、図２に示すように、内側羽根２と外側羽根３の中央にベロ４が位置している。
【手続補正２】
【補正対象書類名】明細書
【補正対象項目名】０００７
【補正方法】変更
【補正の内容】
【０００７】以上の課題を解決するために、第一考案は、羽根とベロとを固定し、また必要に応じて固定を解除できる、羽根とベロとを固定するための面ファスナー（通称マジックテープ（登録商標）と呼ばれる）を羽根とベロの両方に取り付けたことを特徴とするスニーカーである。また、第二考案は、前記面ファスナーが、内側羽根の上部と、ベロのそれに対応する位置に取り付けられていることを特徴とするスニーカーである。
【手続補正３】
【補正対象書類名】明細書
【補正対象項目名】０００８
【補正方法】変更
【補正の内容】
【０００８】第一考案、または第二考案によれば、激しい運動によってもベロがずれ難く、ベロを正常な位置に保つことができる。
【手続補正４】
【補正対象書類名】明細書
【補正対象項目名】００１４
【補正方法】変更
【補正の内容】
【００１４】１  スニーカー本体２  内側羽根３  外側羽根４  ベロ５  羽根用面ファスナー６  ベロ用面ファスナー７  ループ8  ロゴマーク等
【手続補正５】
【補正対象書類名】実用新案登録請求の範囲
【補正対象項目名】全文
【補正方法】変更
【補正の内容】
【実用新案登録請求の範囲】
【請求項１】
羽根とベロとに、羽根とベロを固定するための面ファスナーを取り付けたことを特徴とするスニーカー
【請求項２】
前記面ファスナーが、内側羽根の上部と、ベロのそれに対応する位置に取り付けられていることを特徴とするスニーカー  
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
羽根とベロとに、羽根とベロを固定するための面ファスナーを取り付けたことを特徴とするスニーカー。
【請求項２】
前記面ファスナーが、内側羽根の上部と、ベロのそれに対応する位置に取り付けられていることを特徴とする請求項１記載のスニーカー。